(57)【要約】【課題】  上下の９０度位置の芯出しだけでなく４５度位置や左右の９０度位置の芯出しもでき、しかも狭い作業場所でも芯出しができる丸部材の芯出し用器具を提供する。【解決手段】  目盛り３ａ付きの横尺部３と目盛り４ａ付きの縦尺部４を直角に有したＬ形定規２の縦尺部４に目盛り６ａ付きの可動尺６を横尺部３と並行の姿勢でスライド自在に取り付け、Ｌ形定規２の横尺部３に対して水平向きの水平気泡管７ａと、Ｌ形定規２の横尺部３に対して垂直向きの垂直気泡管７ｂと、Ｌ形定規２の横尺部３に対して４５度の角度の向きの４５度気泡管７ｃとを一体にした水準器７をＬ形定規２の横尺部３に設ける。【選択図】  図１
2011255441.tif 000002
【特許請求の範囲】
【請求項１】
目盛り付きの横尺部と縦尺部を直角に有したＬ形定規の縦尺部に目盛り付きの可動尺を横尺部と並行の姿勢でスライド自在に取り付け、Ｌ形定規の横尺部に対して水平向きの水平気泡管と、Ｌ形定規の横尺部に対して垂直向きの垂直気泡管と、Ｌ形定規の横尺部に対して４５度の角度の向きの４５度気泡管をＬ形定規の横尺部に設けた、丸部材の芯出し用器具。
【請求項２】
水平気泡管と垂直気泡管と４５度気泡管を一体にして水準器とし、その水準器を脱着可能に取り付ける支持ステーと固定ネジをＬ形定規の横尺部に設けた、請求項１記載の丸部材の芯出し用器具。
【請求項３】
可動尺をＬ形定規の縦尺部の所定位置に固定する固定ネジを設けた、請求項１又は２記載の丸部材の芯出し用器具。
【発明の詳細な説明】
【技術分野】
【０００１】
本発明は、管部材や丸鋼等の断面円形の丸部材の芯出しをするための芯出し用器具に関する。
【背景技術】
【０００２】
従来の芯出し用器具が特許文献１に開示されている。この技術は、目盛尺と基準尺を直角に有したスケヤ部と、そのスケヤ部の目盛尺に沿って基準尺と並行の姿勢でスライドできる測定尺と、スケヤ部の目盛尺に備えた水準測定部と、測定尺に設けて丸部材の外径をスケヤ部の目盛尺で読み取る指針部とで構成したことを特徴としている。
【０００３】
この技術によれば、丸部材の外面にスケヤ部の目盛尺と基準尺を押し当て、測定尺を閉める方向にスライドさせて丸部材をスケヤ部の基準尺とで挟み、水準測定部を確認してスケヤ部の目盛尺の傾きを水平に補正し、測定尺の指針部が指すスケヤ部の目盛尺の位置から丸部材の外径を読み取って芯出し位置を割り出しできるようにした、というものである。
【０００４】
ところで、前記技術では、水準測定部の気泡管がスケヤ部の目盛尺に対して水平に配置されているから、９０度位置の芯出しはできるが、４５度位置の芯出しはできなかった。しかもスケヤ部の基準尺と測定尺には目盛りが無いから、９０度位置の芯出しも丸部材の上下だけで、左右の９０度位置の芯出しはできなかった。また、丸部材の直下に床面や障害物がある場合は、スケヤ部の目盛尺が床面や障害物と接触して丸部材に押し当てることができず、芯出しができないことがあった。
【先行技術文献】
【特許文献】
【０００５】
【特許文献１】特開平７−２２７７７３号公報
【発明の概要】
【発明が解決しようとする課題】
【０００６】
本発明が解決しようとする課題は、従来のこれらの問題点を解消し、上下の９０度位置の芯出しだけでなく４５度位置や左右の９０度位置の芯出しもでき、しかも狭い作業場所でも芯出しができる丸部材の芯出し用器具を提供することにある。
【課題を解決するための手段】
【０００７】
かかる課題を解決した本発明の構成は、
１）  目盛り付きの横尺部と縦尺部を直角に有したＬ形定規の縦尺部に目盛り付きの可動尺を横尺部と並行の姿勢でスライド自在に取り付け、Ｌ形定規の横尺部に対して水平向きの水平気泡管と、Ｌ形定規の横尺部に対して垂直向きの垂直気泡管と、Ｌ形定規の横尺部に対して４５度の角度の向きの４５度気泡管をＬ形定規の横尺部に設けた、丸部材の芯出し用器具
２）  水平気泡管と垂直気泡管と４５度気泡管を一体にして水準器とし、その水準器を脱着可能に取り付ける支持ステーと固定ネジをＬ形定規の横尺部に設けた、前記１）記載の丸部材の芯出し用器具
３）  可動尺をＬ形定規の縦尺部の所定位置に固定する固定ネジを設けた、前記１）又は２）記載の丸部材の芯出し用器具
にある。
【発明の効果】
【０００８】
本発明によれば、４５度位置の芯出しは、丸部材にＬ形定規の横尺部と縦尺部を押し当て、可動尺をスライドさせて横尺部とで挟み、４５度気泡管を確認しながら芯出し用器具を４５度に保持し、横尺部・縦尺部・可動尺いずれかの目盛りを読み取って芯出しする。９０度位置の芯出しは、水平気泡管を確認しながら芯出し用器具を縦向きにして芯出しする。あるいは、垂直気泡管を確認しながら芯出し用器具を横向きにして芯出しする。
【０００９】
このように、上下の９０度位置だけでなく、４５度位置や左右の９０度位置も含めて計８箇所の芯出しができる。また、横尺部と縦尺部と可動尺はいずれにも目盛りが形成されているから、芯出し用器具を縦向きや横向きの姿勢にすることで、床面や障害物との干渉を回避して芯出しが行える。
【図面の簡単な説明】
【００１０】
【図１】実施例の芯出し用器具の正面図である。
【図２】実施例の芯出し用器具の左側面図である。
【図３】実施例の芯出し用器具の底面図である。
【図４】実施例の４５度位置の芯出しを示す説明図である。
【図５】実施例の９０度位置の芯出しを示す説明図である。
【図６】実施例の９０度位置の芯出しを示す説明図である。
【発明を実施するための形態】
【００１１】
以下、本発明を実施するための形態を実施例と図面に基づいて具体的に説明する。
【実施例】
【００１２】
図１は実施例の芯出し用器具の正面図、図２は実施例の芯出し用器具の左側面図、図３は実施例の芯出し用器具の底面図、図４は実施例の４５度位置の芯出しを示す説明図、図５，６は実施例の９０度位置の芯出しを示す説明図である。
【００１３】
図中、１は芯出し用器具、２はＬ形定規、３は横尺部、３ａは目盛り、４は縦尺部、４ａは目盛り、５は支持ステー、５ａは固定ネジ、６は可動尺、６ａは目盛り、６ｂは嵌合部、６ｃは固定ネジ、７は水準器、７ａは水平気泡管、７ｂは垂直気泡管、７ｃは４５度気泡管、Ａは配管部材（丸部材）、Ｆは床面である。
【００１４】
図１〜３に示すように、Ｌ形定規２は、長さ２７ｃｍの横尺部３と長さ５０ｃｍの縦尺部４を直角に有したステンレス製で、横尺部３と縦尺部４の内側の表面に目盛り３ａ，４ａを表示している。横尺部３の背面には断面Ｌ字状の支持ステー５を２体固着し、その支持ステー５の上端に固定ネジ５ａを設けている。
【００１５】
可動尺６は、長さ２７ｃｍのステンレス製で、Ｌ形定規２の横尺部３と対向する側の表面に目盛り６ａを表示し、基端部に嵌合部６ｂを備えている。この嵌合部６ｂをＬ形定規２の縦尺部４に嵌合し、横尺部３と並行の姿勢でスライド自在に取り付けている。嵌合部６ｂには、可動尺６をＬ形定規２の縦尺部４の所定位置に固定するための固定ネジ６ｃを備えている。
【００１６】
水準器７は、Ｌ形定規２の横尺部３に対して水平向きの水平気泡管７ａと、Ｌ形定規２の横尺部３に対して垂直向きの垂直気泡管７ｂと、Ｌ形定規２の横尺部３に対して４５度の角度の向きの４５度気泡管７ｃとを備えている。この水準器７を支持ステー５とＬ形定規２の横尺部３の間に配置し、固定ネジ５ａで横尺部３の外縁に密接して脱着可能に固定している。
【００１７】
以下、本実施例の芯出し用器具１を使用した配管部材Ａの４５度位置と９０度位置の芯出しを図４〜６に基づいて説明する。
【００１８】
４５度位置の芯出しは、以下の手順で行われる（図４参照）。
１）固定ネジ６ｃを緩めて可動尺６を開く方向へスライドさせ、Ｌ形定規２の横尺部３と可動尺６との間隔を配管部材Ａの外径より大きめに開いておく。
２）配管部材Ａの外面にＬ形定規２の横尺部３と縦尺部４の内縁を押し当てる。
３）可動尺６を閉じる方向へスライドさせ、配管部材ＡをＬ形定規２の横尺部３と可動尺６とで挟む。
４）固定ネジ６ｃを締めて可動尺６をＬ形定規２の縦尺部４にその位置で固定する。
５）水準器７の４５度気泡管７ｃを確認しながら芯出し用器具１を配管部材Ａの外面に沿って回転させ、芯出し用器具１を４５度の傾きで保持する。
６）可動尺６の固定位置が指すＬ形定規２の縦尺部４の目盛り４ａから配管部材Ａの外径を読み取り、その外径値から芯出し位置を割り出す。
７）目盛り３ａ，４ａ，６ａのいずれかの芯出し位置で配管部材Ａの外面にけがき針等でけがきする。
【００１９】
９０度位置の芯出しは、以下のとおりである（図５参照）。
１）前記１）〜４）の工程と同じである。
２）水準器７の水平気泡管７ａを確認しながら芯出し用器具１を配管部材Ａの外面に沿って回転させ、芯出し用器具１を縦向きに保持する。
３）前記６），７）の工程と同じである。
【００２０】
配管部材Ａの直下に例えば床面Ｆが存在する場合、前記の方法ではＬ形定規２の縦尺部４が床面Ｆと接触して芯出しができないことがある。その場合は、水準器７の垂直気泡管７ｂを確認しながら芯出し用器具１を配管部材Ａの外面に沿って回転させ、芯出し用器具１を横向きに保持する（図６参照）。これにより、Ｌ形定規２の縦尺部４が床面Ｆやその他障害物に干渉することなく芯出しが行えるようになる。
【産業上の利用可能性】
【００２１】
本発明の技術は、水道用の鋼管や塩化ビニール管、丸鋼等の既設の丸部材又は工場等における未施工の丸部材の芯出しに利用される。
【符号の説明】
【００２２】
１  芯出し用器具
２  Ｌ形定規
３  横尺部
３ａ  目盛り
４  縦尺部
４ａ  目盛り
５  支持ステー
５ａ  固定ネジ
６  可動尺
６ａ  目盛り
６ｂ  嵌合部
６ｃ  固定ネジ
７  水準器
７ａ  水平気泡管
７ｂ  垂直気泡管
７ｃ  ４５度気泡管
Ａ  配管部材（丸部材）
Ｆ  床面
【図１】
2011255441.tif 000003
【図２】
2011255441.tif 000004
【図３】
2011255441.tif 000005
【図４】
2011255441.tif 000006
【図５】
2011255441.tif 000007
【図６】
2011255441.tif 000008